(57)【要約】【課題】薬剤を貯留している容器やサンプリング容器の口が小さくても、使い勝手を低下させずに多くの量の薬剤をすくい取ったり移し替えたりすることが可能になるサンプリング用薬剤採取具を提供する。【解決手段】薬剤採取部２０と柄部６０とを備える。薬剤採取部２０を、平板状の底壁２１と底壁２１の外周縁全体から立ち上がった周壁２２とによって凹入形状に形成する。底壁２１の前側部分を前上がりに傾斜した前壁部２４として形成し、前壁部２４の反対側の後壁部２５に柄部６０を連設する。周壁２２の上端縁で囲まれた開口部の横幅及び周壁２２の左右間隔幅を前方に向けて漸次幅狭に形成する。薬剤採取部２０に目盛り線２７を設ける。【選択図】図１
0003209241.tif 000002
【実用新案登録請求の範囲】
【請求項１】
薬剤をすくい取って採取するための薬剤採取部と、この薬剤採取部から後方に向けて延び出た柄部と、を備えるサンプリング用薬剤採取具であって、
上記薬剤採取部が、平板状の底壁とこの底壁の外周縁全体から立ち上がった周壁とによって凹入形状に形成され、上記底壁の前側部分が前上がりに傾斜した前壁部として形成され、かつ、その前壁部の反対側の周壁の後側部分が後壁部として形成されてその後壁部に上記柄部が連設されていると共に、上記周壁の上端縁で囲まれた開口部の横幅及び上記周壁の左右間隔幅が、少なくとも前後方向中間部から前方に向けて漸次幅狭になっていることを特徴とするサンプリング用薬剤採取具。
【請求項２】
上記前壁部の立ち上がり角度が４５度である請求項１に記載したサンプリング用薬剤採取具。
【請求項３】
上記周壁の上端縁と上記柄部の上面とが、上記底壁の平坦な内面に対して平行で、かつ、面一に形成されている請求項１又は請求項２に記載したサンプリング用薬剤採取具。
【請求項４】
上記薬剤採取部の底壁を平坦な被載置面に載置したときにその底壁の平坦な下面全体が被載置面に着座するように全体の重心位置が定められていることによって、上記底壁を平坦な被載置面に載置したときに上記周壁の上端縁を上記被載置面に対して平行に保つ自立機能が付与されている請求項１ないし請求項３のいずれか１項に記載したサンプリング用薬剤採取具。
【請求項５】
上記柄部に下向きに突き出た突起が設けられていることによって、その突起と上記薬剤採取部の底壁とを平坦な被載置面に載置したときに上記周壁の上端縁を上記被載置面に対して平行に保つ自立機能が付与されている請求項１ないし請求項４のいずれか１項に記載したサンプリング用薬剤採取具。
【請求項６】
上記薬剤採取部の周壁の内面に、湾曲した出隅を有して線状に延びる段差によって形成された目盛り線が表示されている請求項１ないし請求項５のいずれか１項に記載したサンプリング用薬剤採取具。
【請求項７】
上記柄部の上面に上記薬剤採取部の全内容積Ｎが数値表示され、上記底壁から上記目盛り線の表示箇所までの深さに相応する内容積Ｘが、上記全内容積のＸ／Ｎ（Ｎ＞Ｘ）に相当するようにその表示箇所が定められている請求項６に記載したサンプリング用薬剤採取具。
【考案の詳細な説明】
【技術分野】
【０００１】
本考案は、サンプリング用薬剤採取具、特に、オペレーターが容器内の薬剤をすくい取って採取した薬剤をサンプリング容器に移し替える工程で使用されるサンプリング用薬剤採取具に関する。
【背景技術】
【０００２】
薬剤を取り扱う研究所や製薬会社などでは、オペレーターが薬剤採取具を使って容器からすくい取った薬剤をサンプリング容器に移し替える工程を行うことがある。また、薬剤をすくい取った採取具を一旦テーブルなどの上に水平に置き、その薬剤採取具で薬剤をすり切りすることによって薬剤の一定量を採取するようにする工程を行うこともある。
【０００３】
従来、この種のサンプリング用薬剤採取具として図９に例示したものが知られていた。同図のサンプリング用薬剤採取具は、その基本構成として、薬剤をすくい取って採取するための薬剤採取部１０と、この薬剤採取部１０から後方に向けて延び出た柄部５０とを備えている。そして、同図のように薬剤採取部１０が所謂スコップ形に形成されていた。すなわち、従来の薬剤採取具の薬剤採取部１０は略矩形の底壁１１とこの底壁１１の周囲の３つの辺縁からから立ち上がった周壁１２とによって凹入形状に形成され、周壁１２が左右の略三角形の側壁部１３，１３と周壁１２の後側部分である略矩形の後壁部１４とからなり、後壁部１４に上記柄部５０が連設されていた。
【先行技術文献】
【特許文献】
【０００４】
【特許文献１】特になし。
【考案の概要】
【考案が解決しようとする課題】
【０００５】
図９に例示した従来の薬剤採取具は、上記したように薬剤採取部１０が、略矩形の底壁１１とその底壁１１の周囲の３つの辺縁から立ち上がった周壁１２とによってスコップ形の凹入形状に形成されていたことから、薬剤採取部１０の前端縁の横幅Ｗがその後端縁の横幅と同等の広さになっている。そのため、薬剤採取部１０の後壁部１４の高さＨによって定まる深さを一定にしてその内容積を大きくしようとすると、上記前端縁の横幅Ｗを拡げることが必要になる。しかしながら、その横幅Ｗを拡げると、薬剤を貯留している容器やサンプリング容器の口がその横幅Ｗに見合う程度に大きいことが要求され、それらの口が小さすぎると、オペレーターが薬剤採取部１０を薬剤を貯留している容器やサンプリング容器に差し入れて容器から薬剤をすくい取る作業やサンプリング容器に移し替える作業に困難が伴うようになって使い勝手が低下する。
【０００６】
また、この薬剤採取具は、上記したようにスコップ形であり、薬剤をすくい取ることのできる量が比較的少なくならざるを得ず、しかも、すくい取った薬剤が、薬剤採取部１０の前端縁からこぼれ落ちやすいということが考えられる。
本考案は以上の状況に鑑みてなされたものであり、薬剤を貯留している容器やサンプリング容器の口が小さくても、使い勝手を低下させずに多くの量の薬剤をすくい取ったり移し替えたりすることが可能になるサンプリング用薬剤採取具を提供することを目的とする。
【０００７】
また、本考案は、薬剤をすくい取った薬剤採取具を一旦テーブルなどの上に水平に置き、その薬剤採取具で薬剤をすり切りすることによって薬剤の一定量を採取するようにする工程を容易に行うことのできる工夫が講じられたサンプリング用薬剤採取具を提供することを目的とする。
【課題を解決するための手段】
【０００８】
本考案に係るサンプリング用薬剤採取具は、冒頭で説明した基本構成、すなわち、薬剤をすくい取って採取するための薬剤採取部と、この薬剤採取部から後方に向けて延び出た柄部と、を備えている。そして、上記薬剤採取部が、平板状の底壁とこの底壁の外周縁全体から立ち上がった周壁とによって凹入形状に形成され、上記底壁の前側部分が前上がりに傾斜した前壁部として形成され、かつ、その前壁部の反対側の周壁の後側部分が後壁部として形成されてその後壁部に上記柄部が連設されていると共に、上記周壁の上端縁で囲まれた開口部の左右幅及び上記周壁の左右間隔幅が、少なくとも前後方向中間部から前方に向けて漸次幅狭になっている、というものである。
【０００９】
この構成を備えた薬剤採取具によると、薬剤採取部の全体形状が箱形ないし舟形（以下、「箱舟形」という）になるので、従来例として説明した図９のスコップ形のものと対比すると、薬剤採取部の深さが図９に示した薬剤採取部の深さ（後壁部１４の高さＨ）と同等で、かつ、薬剤採取部の前後方向中間部の横幅や縦幅（前後方向長さ）の長さも略同等である場合には、その内容積が２倍近くに大きくなる。それにもかかわらず、薬剤採取部の周壁の上端縁で囲まれた開口部の左右幅及び周壁の左右間隔幅が、少なくとも前後方向中間部から前方に向けて漸次幅狭になっていることにより、少なくとも薬剤採取部の前端縁の横幅が短くなって薬剤採取部を薬剤を貯留している容器やサンプリング容器の口に差し込みやすくなり、使い勝手を低下させずに多くの量の薬剤をすくい取ったり移し替えたりすることが可能になる。その上、薬剤採取部の底壁の前側部分が前上がりに傾斜した前壁部として形成され、かつ、その前壁部の反対側の周壁の後側部分が後壁部として形成されてその後壁部に上記柄部が連設されていることにより、すくい取った薬剤がこぼれ落ちるという事態がその前壁部によって抑制されるという作用も発揮される。
【００１０】
本考案では、上記前壁部の立ち上がり角度が４５度であることが望ましい。この構成を採用すると、容器の中の薬剤に薬剤採取部を差し入れてすくい取るときに、薬剤採取部を無理なく薬剤に差し込むことができ、しかも、薬剤をこぼさずに採取しやすくなるということが確認されている。
【００１１】
本考案では、上記周壁の上端縁と上記柄部の上面とが、上記底壁の平坦な内面に対して平行で、かつ、面一に形成されていることが望ましい。この構成を備えていると、薬剤採取部にすくい取った薬剤をすり切りすることによって薬剤の一定量を採取する作業を容易に行うことができる。
【００１２】
本考案では、上記薬剤採取部の底壁を平坦な被載置面に載置したときにその底壁の平坦な下面全体が被載置面に着座するように全体の重心位置が定められていることによって、上記底壁を平坦な被載置面に載置したときに上記周壁の上端縁を上記被載置面に対して平行に保つ自立機能が付与されていることが望ましい。この構成を備えていると、薬剤採取部にすくい取った薬剤の量を確認したり、上記したような薬剤をすり切りすることによって薬剤の一定量を採取する作業を容易に行うことができる。これと同様の作用は、上記柄部に下向きに突き出た突起が設けられていることによって、その突起と上記薬剤採取部の底壁とを平坦な被載置面に載置したときに上記周壁の上端縁を上記被載置面に対して平行に保つ自立機能が付与されている、という構成を採用することによっても発揮される。また、それを組み合わせることにより、より安定して上記作業を行うことができ、上記作業を多少荒っぽく行って全体の重心位置がずれたとしても、自立機能を失い難い。
【００１３】
本考案では、上記薬剤採取部の周壁の内面に、湾曲した出隅を有して線状に延びる段差によって形成された目盛り線が表示されていることが望ましい。これによると、薬剤採取部の目盛り線を基準にして、すくい取った薬剤の量を目分量で確認することが可能になる。さらに、本考案では、上記柄部の上面に上記薬剤採取部の全内容積Ｎが数値表示され、上記底壁から上記目盛り線の表示箇所までの深さに相応する内容積Ｘが、上記全内容積のＸ／Ｎ（Ｎ＞Ｘ）に相当するようにその表示箇所が定められていることが望ましい。この構成を備えていると、薬剤採取部の全内容積Ｎや目盛り線を基準にして、すくい取った薬剤の量を目分量で確認することが可能になる。
【考案の効果】
【００１４】
以上のように、本考案に係るサンプリング用薬剤採取具によると、薬剤を貯留している容器やサンプリング容器の口が小さくても、使い勝手を低下させずに多くの量の薬剤をすくい取ったり移し替えたりすることが可能になるだけでなく、一旦すくい取った薬剤がこぼれ落ちにくくなるという効果が得られる。また、薬剤をすくい取った採取具を一旦テーブルなどの上に水平に置き、その採取具で薬剤をすり切りすることによって薬剤の一定量を採取するようにする工程を容易に行うことができるようになる。
【図面の簡単な説明】
【００１５】
【図１】本考案の実施形態に係るサンプリング用薬剤採取具の概略斜視図である。
【図２】図１の薬剤採取具の平面図である。
【図３】図１の薬剤採取具の縦断側面図である。
【図４】図１の薬剤採取具の部分拡大断面図である。
【図５】底壁の形状を示した説明図である。
【図６】図１の薬剤採取具の使用状態の側面図である。
【図７】他の実施形態に係る薬剤採取具の平面図である。
【図８】図８の薬剤採取具の使用状態の側面図である。
【図９】従来例の概略斜視図である。
【考案を実施するための形態】
【００１６】
図１は本考案の実施形態に係るサンプリング用薬剤採取具の概略斜視図である。また、図２はその薬剤採取具の平面図、図３はその薬剤採取具の縦断側面図、図４はその薬剤採取具の部分拡大断面図、図５は底壁の形状を示した説明図、図６は使用状態の側面図である。
【００１７】
図１の薬剤採取具は、その基本構成として、薬剤をすくい取って採取するための薬剤採取部２０と、この薬剤採取部２０から後方に向けて延び出た柄部６０とを備えている。
【００１８】
薬剤採取部２０は、縦長平板状の底壁２１とこの底壁２１の外周縁全体から立ち上がった周壁２２とによって凹入形状に形成されている。図５に説明的に示したように、底壁２１はその後端縁が円弧状に形作られている。また、周壁２２は、左右の側壁部２３，２３と、底壁の前側部分を前上がりに傾斜させることによって形成された前壁部２４と、その前壁部２４の反対側の周壁２２の後側部分によって形成された湾曲した後壁部２５とからなり、後壁部２５の上端中央部に柄部６０が連設されている。そして、周壁２２における前壁部２４を除く部分、言い換えると、周壁２２における左右の側壁部２３，２３及び後壁部２５によって形作られている部分はやや上拡がりに傾斜して立ち上がっているのに対し、前壁部２４は図６に示したようにそれよりも大きな角度θ、具体的にはθ＝４５度の角度に傾斜して立ち上がっている。また、図２に示したように、周壁２２の上端縁で囲まれた開口部の横幅は、後端の横幅Ｗ１が最も広くなっていて、その後端から前方に向けて漸次幅狭になって前端部の横幅Ｗ２が最も狭くなっている。周壁２２の左右間隔幅（左右の側壁部２３，２３の間隔幅）も同様に前方に向けて漸次幅狭になっている。さらに、周壁２２の高さはどの部分でも同一の寸法になっている。このことを言い換えると、周壁２２の上端縁が底壁２１の平坦な内面に対して平行になっている。次に、周壁２２の上端縁と周壁２２の後壁部２５に連設されている柄部６０の上面とが面一に形成されている。そのため、柄部６０の上面も底壁２１の平坦な内面に対して平行になっている。
【００１９】
この実施形態の薬剤採取具によると、薬剤採取部２０の全体形状が図１に示したような箱舟形になっている。そのため、従来例として説明した図９のスコップ形のものと対比すると、図３に示した薬剤採取部２０の深さＤが、図９に示した薬剤採取部１０の深さ（後壁部１４の高さＨ）と同等で、かつ、薬剤採取部２０の後端の横幅Ｗ１や縦幅（前後方向長さ）も略同等である場合には、その内容積が２倍近くに大きくなる。それにもかかわらず、薬剤採取部２０の前端縁の横幅Ｗ２が図９に示した薬剤採取部１０の前端縁の横幅よりも短くなるために、薬剤採取部２０を薬剤を貯留している容器やサンプリング容器の口に差し込みやすくなり、使い勝手を低下させずに多くの量の薬剤をすくい取ったり移し替えたりすることが可能になる。その上、薬剤採取部２０の前壁部２４が前上がりに傾斜していることにより、オペレーターが柄部６０を掴んで薬剤をすくい取ったときに、その薬剤が薬剤採取部２０の前側にこぼれ落ちるという事態が抑制されることになる。特に、前壁部２４が４５度に傾斜しているために、容器の薬剤に薬剤採取部２０を差し入れる作業が円滑に行われるという利点もある。
【００２０】
ところで、薬剤をサンプリングする際には、薬剤をすくい取った採取具を一旦テーブルなどの上に水平に置き、その採取具で薬剤をすり切りすることによって薬剤の一定量を採取するようにする工程を行うことがある。この工程を容易にかつ確実に行うことができるようにするために、上記実施形態の薬剤採取具では、図６に示したように、薬剤をすくい取った薬剤採取具を一旦テーブルなどの水平な被載置面Ｐの上に置くと、その薬剤採取具が水平姿勢に保たれるという自立機能を付与している。この自立機能は、薬剤採取部２０の底壁２１を平坦な被載置面Ｐに載置したときにその底壁２１の平坦な下面全体が被載置面Ｐに着座するように全体の重心位置を定めることによって付与されている。このように薬剤採取具が自立機能を備えていると、薬剤をすくい取った薬剤採取具を一旦テーブルなどの水平な被載置面Ｐの上に置いた後、薬剤採取部２０に盛り上がって採取された薬剤の余剰分をすり切ることによって薬剤の一定量を採取する作業を容易に行うことができるようになるという利点がある。この利点は、上記したように、周壁２２の上端縁と周壁２２の後壁部２５に連設されている柄部６０の上面とが面一に形成されている、という構成によっていっそう助長されることになる。
【００２１】
次に、図１に示したように、柄部６０の上面に薬剤採取部２０の全内容積Ｎ、言い換えると、薬剤採取部２０にすくい取った薬剤のすり切り量が数値表示２６によって施されている。そして、これに加えて、薬剤採取部２０の周壁２２の内面の複数箇所に目盛り線２７…が表示されている。この目盛り線２７…の表示箇所は、底壁２１からそれらの各目盛り線２７の表示箇所までの深さに相応する内容積Ｘが、上記全内容積ＮのＸ／Ｎ（Ｎ＞Ｘ）に相当するように定められている。図例では、最下段の目盛り線２７が２５ｍＬ、中段の目盛り線２７が５０ｍＬ、上段の目盛り線２７が７５ｍＬを示している。このように目盛り線２７…を施しておくと、オペレーターが薬剤採取部２０にすくい取った薬剤の量を、上記したすり切り量だけでなく、目盛り線２７…を目安にして目視で確認することが可能になる。この実施形態では、図４に示したように、目盛り線２７は、周壁２２の内面に線状に延びる段差部２８を設けることによって目視可能に施している。また、各段差部２８の出隅２９は湾曲している。こうしておくと、薬剤をサンプリング容器に移し替えるときに薬剤が段差部２８の形成箇所に残りにくくなる。なお、上記したＸ／Ｎ（Ｎ＞Ｘ）は、約分した数値であってもよいことは勿論である。
【００２２】
上記実施形態では、薬剤採取部２０の前壁部２４の立上り角度θが４５度に定められているけれども、この点は、４５度以外の任意の角度を採用してもよい。また、目盛り線２７の数は、数値表示２６の半分の量だけを示す１本であってもよい。
【００２３】
図７は他の実施形態に係る薬剤採取具の平面図、図８は図７の薬剤採取具の使用状態の側面図である。この実施形態では、薬剤採取部２０の形状及び自立機能を付与する手段が、図１〜図６を参照して説明した実施形態の薬剤採取具と相違している。
【００２４】
すなわち、図７に示した薬剤採取具において、凹入形状に形成されている薬剤採取部２０は、周壁２２の上端縁で囲まれた開口部の左右幅及び上記周壁の左右間隔幅が、少なくとも前後方向中間部Ａから前方に向けて漸次幅狭になっている。図７には、開口部の左右幅及び上記周壁の左右間隔幅が漸次幅狭になっている領域を符号Ｚで示している。また、柄部６０の基部に下向きに突き出た突起６１が設けられていて、平坦で水平な被載置面Ｐに薬剤採取具を置いたときには、その突起６１と薬剤採取部２０の底壁２１とが薬剤採取具を水平に支えて自立機能を発揮させるようになっている。その他の構成や作用は、図１〜図６を参照して説明した実施形態の薬剤採取具と同様であるので、説明の重複を回避するためにそれらの詳細説明を省略する。
【００２５】
この考案に係るサンプリング用薬剤採取具は、粉体や半固形状の薬剤のサンプリングに好適に利用することができる。また、一般的には滅菌処理された状態で研究所や製薬会社などに納入されるけれども、その際には、サンプリング用薬剤採取具の包装を、さらにその外側から包装するという２重個包装の形で納入されることが望ましい。そのような２重個包装を採用しておくと、たとえばクリーンルームの外で外側の包装を開いて廃棄し、クリーンルームの中で内側の包装を開くようにすることによって滅菌状態を確実に保つことができるようになる。
【符号の説明】
【００２６】
２０  薬剤採取部
２１  底壁
２２  周壁
２４  前壁部
２５  後壁部
２６  数値表示
２７  目盛り線
２８  段差部
２９  出隅
６０  柄部
６１  突起
Ｐ  被載置面
θ  前壁部の立ち上がり角度
【図１】
0003209241.tif 000003
【図２】
0003209241.tif 000004
【図３】
0003209241.tif 000005
【図４】
0003209241.tif 000006
【図５】
0003209241.tif 000007
【図６】
0003209241.tif 000008
【図７】
0003209241.tif 000009
【図８】
0003209241.tif 000010
【図９】
0003209241.tif 000011